(57)【要約】  【課題】専用の取付けステーを廃するとともに従来のデッドスペースを有効利用することができる傾斜センサの取付け構造を提供する。  【解決手段】開閉式シートの裏側に設置されるフック９ａを保持することでシート９を閉状態でロックするシートキャッチ５０に、該シートキャッチ５０と一体的に形成された一対の垂下部である傾斜センサ取付けアーム５１ａを設け、該アーム５１ａに傾斜センサ２２を取付ける。前記シートキャッチ５０が装着される車体フレーム４の後端部のステー構造３５は、前記傾斜センサ２２内に揺動可能に軸支された振り子２７およびマグネット２８によって左右の傾斜角を等しく検知できるように、車体左右方向の中央部に配置される。前記シートキャッチ５０は、前記フック９ａの保持および開放動作を行うための構成として、回動可能に支持された一対のカムである第１カム５２および第２カム５４とを具備する。  【選択図】図６
2006231953.tif 000002
【特許請求の範囲】
【請求項１】
車体に傾斜センサを設け、車体が所定角度以上傾いたことを検知した際に、エンジンを停止するようにした自動二輪車において、
前記傾斜センサを、開閉式シートのロックを行うシートキャッチに取付けたことを特徴とする傾斜センサの取付け構造。
【請求項２】
前記シートキャッチは、
回動可能に支持された一対のカムと、
前記シートキャッチと一体的に形成された一対の垂下部とを具備し、
前記垂下部に前記傾斜センサを取付けたことを特徴とする請求項１に記載の傾斜センサの取付け構造。
【請求項３】
前記シートキャッチは、
車体左右方向の中央部に設けられていることを特徴とする請求項１または２に記載の傾斜センサの取付け構造。
【発明の詳細な説明】
【技術分野】
【０００１】
本発明は傾斜センサの取付け構造に関し、特に、専用の取付けステーを廃するとともに従来のデッドスペースを有効利用することができる傾斜センサの取付け構造に関する。
【背景技術】
【０００２】
従来から、エンジンの回転数や吸気管に発生する負圧等のデータに基づいて、予め設定したマップや制御プログラムに従って燃料噴射装置や点火装置を駆動制御するＥＣＵ（エンジン・コントロール・ユニット）を備えた自動二輪車が知られている。通常、このような自動二輪車には、車体が通常のバンク角を超えて大きく傾いた際に前記ＥＣＵによって瞬時にエンジンを停止できるよう、車体の傾斜を検知する傾斜センサが備えられている。しかしながら、余剰スペースの少ない自動二輪車においては、その設置場所の捻出に苦慮することが多かった。
【０００３】
特許文献１には、上記の課題を解決するため、車体前方の中央部左右に配設されたフレーム部材に設けられた燃料タンク取付け用のブラケットに専用ステーを連結し、該専用ステーによって傾斜センサを固定する取付け構造が開示されている。
【特許文献１】特開２００４−９３５３７号公報
【発明の開示】
【発明が解決しようとする課題】
【０００４】
しかしながら、上記特許文献１の取付け構造では、車種ごとに専用の取付けステーが必要になり、部品点数や生産工程が増してしまうという課題があった。また、利便性をさらに高めるため、搭乗者が着座するシートの下部や、ハンドルの下方のレッグシールドに設置される収納スペースの大型化を図りたいスクータ型の自動二輪車では、上記特許文献１に開示された取付け構造の設置スペースさえも確保するのが難しくなってきている。
【０００５】
本発明の目的は、上記した従来技術の課題を解決し、専用の取付けステーを廃するとともに従来のデッドスペースを有効利用することができる、傾斜センサの取付け構造を提供することにある。
【課題を解決するための手段】
【０００６】
前記した目的を達成するために、本発明は、車体に傾斜センサを設け、車体が所定角度以上傾いたことを検知した際に、エンジンを停止するようにした自動二輪車において、前記傾斜センサを、開閉式シートのロックを行うシートキャッチに取付けるようにした点に第１の特徴がある。
【０００７】
また、前記シートキャッチは、回動可能に支持された一対のカムと、前記シートキャッチと一体的に形成された一対の垂下部とを具備し、前記垂下部に前記傾斜センサを取付けるようにした点に第２の特徴がある。
【０００８】
さらに、前記シートキャッチは、車体左右方向の中央部に設けられるようにした点に第３の特徴がある。
【発明の効果】
【０００９】
請求項１の発明によれば、前記傾斜センサを、開閉式シートのロックを行うシートキャッチに取付けるようにしたので、従来のデッドスペースを有効利用することができ、収納スペースを拡大する等ができるようになる。
【００１０】
請求項２の発明によれば、前記シートキャッチは、回動可能に支持された一対のカムと、前記シートキャッチと一体的に形成された一対の垂下部とを具備し、前記垂下部に前記傾斜センサを取付けるようにしたので、専用の取付けステーを廃して部品点数や生産工程を減らすことができるようになる。
【００１１】
請求項３の発明によれば、前記シートキャッチは、車体左右方向の中央部に設けられるようにしたので、シートキャッチに装着した傾斜センサが左右の傾斜角を等しく検知することができるようになる。
【発明を実施するための最良の形態】
【００１２】
以下、図面を参照して本発明の好ましい実施の形態について詳細に説明する。図１は、本発明を適用したスクータ型自動二輪車の一実施形態の側面図である。
【００１３】
自動二輪車１は、車体前方に前輪ＷＦを軸支するフロントフォーク２を有し、該フロントフォーク２は、ハンドル３の操作によって操舵可能とされている。該ハンドル３の下方のレッグシールド１３には、下端部を軸に開閉可能とされたリッド１４が設けられる。該リッド１４の前方には、地図や雨具等が収納できる収納スペース１５が設けられ、さらに前方にはバッテリ２１が配設されている。
【００１４】
車体左右に１本ずつ配される車体フレーム４には、動力源としてのエンジンを含むパワーユニット１０の一端が枢着されている。該パワーユニット１０は、その後方の他端側に駆動輪である後輪ＷＲが回転可能に取り付けられるとともに、車体フレーム４に取り付けられたリヤクッション７により吊り下げられている。車体フレーム４の外周は車体カバー８で覆われ、車体カバー８の後方かつ上面には搭乗者が着座するシート９が固定されている。また、車体カバー８の前方かつ下方には、搭乗者が足を置くステップフロア１２が形成され、該ステップフロア１２の下方には燃料タンク５が配設されている。前記シート９は、前端部を軸に開閉可能とされており、該シート９の下方には、ヘルメットや荷物等を収納するためのユーティリティスペースとして機能する収納ボックス１１が設けられている。該実施形態の収納ボックス１１は、フルフェイス型のヘルメット１０ａとジェット型のヘルメット１０ｂとを同時に収納できる容量を確保している。
【００１５】
車体の左右に１本ずつ設けた太径パイプで構成された車体フレーム４の後方には、左右の車体フレーム４を連結する連結部材４ａが設けられ、該連結部材４ａから上方に細径のパイプ部材３０が伸ばされている。そして、該パイプ部材３０を含むステー構造３５に、後述する傾斜センサが装着され、その取付け構造に本発明に係る傾斜センサの取付け構造が適用されている。
【００１６】
図２は、本発明を適用したスクータ型自動二輪車の一実施形態の上面図である。前記と同一の符号は、同一または同等部分を表している。前記ステー構造３５は、後述する傾斜センサが車体の中心線上に配置されるように、前記連結部材４ａの車体左右方向の中央部に置かれている。
【００１７】
図３は、前記ステー構造３５の側面図（ａ）と正面図（ｂ）である。前記車体フレーム４に連結された連結部材４ａには、車体の垂直方向に対して後方に傾斜したパイプ部材３０が左右１本ずつ設けられ、その上端部が連結パイプ３１によって固定されている。該連結パイプ３１には、後述するシートキャッチを取付けるためのシートキャッチ取付け部材３２，３３が溶着されている。該シートキャッチ取付け部材３２，３３には、その裏側にナット３２ｂ，３３ｂが設けられる。シートキャッチと前記ステー構造３５とは、前記ナット３２ｂ，３３ｂと、それぞれの取付け穴４０，４１から挿入されるボルト（後述）とが締結されることによって固定される。また、シートキャッチ取り付け部材３２，３３の上部には、前記収納ボックス１１の取り付け部３２ａ，３３ａが一体に設けられている。
【００１８】
図４に、シートキャッチ５０の正面図を示す。前記シート９をロックする該シートキャッチ５０は、前記シート９の後端部裏側に設置されたフック９ａ（仮想線部）を保持および開放する動作を行う。前記フック９ａが保持される間はシート９が閉状態でロックされており（図示の状態）、前記フック９ａが開放されるとシート９が開状態になるよう構成されている。ベースプレート５１には、前記シートキャッチ取付け部材３２，３３への取付け穴６１，６２、スプリング係合部５１ｂ，５１ｃ、ケーブル取付け部５１ｄが設けられ、垂下部としての傾斜センサ取付けアーム５１ａが下方に伸ばされている。該傾斜センサ取付けアーム５１ａには、傾斜センサの取付け穴５９，６０が設けられる。さらに、ベースプレート５１には、軸５３を中心に回動可能とされた第１カム５２と、軸５５を中心に回動可能とされた第２カム５４とが配設されている。該第１カム５２および第２カム５４には、それぞれのスプリング係合部５２ａ，５４ａがスプリング５６，５７と連結されていることによって、回動される方向から常に元の位置に戻ろうとする復元力が与えられている。
【００１９】
前記シート９の開閉時のシートキャッチ５０の作動は、以下のように行われる。図は、前記第２カム５４のフック保持部５４ｂにシート９の裏側に配設されたフック９ａを保持したロック状態にある。シート９を開く際には、第１カム５２をスプリング５６の復元力に抗して左方向（反時計方向）に回動する。すると、突起部５４ｃと接触することで第２カム５４の回動を規制していた第１カム５２の突起部５２ｂが図示右方向に逃げ、第２カム５４がスプリング５７の復元力によって左方向に回動し、前記フック９ａが開放されることとなる。逆に、前記シート９を閉じようとすると、図示上方から前記フック９ａが第２カム５４のフック保持部５４ｂを押しつける。すると、第２カム５４がスプリング５７の復元力に抗して所定の位置まで右方向（時計方向）に回動して前記フック９ａを保持し、シート９が閉状態でロックされることになる。
【００２０】
図５は、傾斜センサ２２の一部断面側面図（ａ）および一部断面正面図（ｂ）である。該傾斜センサ２２は、車体の傾斜角度に合わせて揺動する振り子２７を内蔵しており、該振り子２７に設けられたマグネット２８の位置変動を、センサ上部に設けた検出器（図示しない）によって検出することにより、車体の傾斜角度を検知することができる。検知された傾斜角度の情報は、グロメット２２ｃを貫通する配線コード２２ｂを通じてＥＣＵに伝達される。該ＥＣＵは、傾斜センサ２２からの信号を基に、車体が通常のバンク角を超えて大きく傾いた際には、瞬時に燃料噴射装置や点火装置の駆動を停止してエンジンを停止させることができる。前記傾斜センサ２２の左右端部には、防振ゴム２３ａ，２４ａを保持するためのステー２５，２６が設けられ、前記防振ゴムの取付け穴２３，２４にて前記シートキャッチ５０の傾斜センサ取付けアーム５１ａに固定される。
【００２１】
図６は、前記傾斜センサ２２を固定したシートキャッチ５０が、前記ステー構造３５に装着された状態を示す。前記と同一の符号は、同一または同等部分を表している。前記傾斜センサ２２の取付け穴２３，２４とシートキャッチ５０の取付け穴５９，６０とは、ボルト２３ｂ，２４ｂによって固定される。また、シートキャッチ５０の取付け穴６１，６２とステー構造３５の取付け穴４０，４１との固定は、ボルト６１ａ，６２ａによって行われる。前記ケーブル取付け部５１ｄに取り付けられたケーブル７０は、搭乗者が手動で操作するキーシリンダ（不図示）や、遠隔操作で駆動するアクチュエータ（不図示）等に連結されている。すなわち、前記シート９を開状態にする操作によってインナーワイヤ７１が図示右方向に引かれると、該インナーワイヤ７１の端部のタイコ７２によってスプリング係合部５２ａが右方向へ移動して前記第１カム５２が左方向に回動するように構成されている。該一連の動作によって、第２カム５４が保持していたシート９のフック９ａが開放される過程は前記のとおりである。
【００２２】
上記したようなシートキャッチは、開閉式シートを有する車両には必須の部品であり、シートの前端部を軸にして開閉するタイプでは、シートの後端部かつ車体左右方向の中央部に備えられるのが通常である。さらに、エンジンから遠く離れているため、熱の影響を受けることもない。したがって、シートキャッチ近傍のスペースは、前記した傾斜センサの装着には最適な環境を有している。しかしながら、従来は、このシートキャッチの下方に傾斜センサを設置することは考慮されておらず、もし設置しようとしても、専用の取付けステーが必要となって部品点数や生産工程が増してしまうという課題があった。しかし、上記したように、本発明における傾斜センサの取付け構造によれば、シートキャッチと一体的に下方に伸ばしたステーに傾斜センサを装着するため、専用の取付けステーを不要として部品点数や生産工程を減らすことができるようになる。また、シートキャッチと傾斜センサの組み合わせを他の機種と共通化して生産性を高めることも考えられる。さらには、従来使われていなかったデッドスペースを有効利用することで、より収納スペースを増やして利便性を高めるなどが可能となるため、特にスクータ型の自動二輪車に好適な構造である。
【図面の簡単な説明】
【００２３】
【図１】本発明を適用したスクータ型自動二輪車の概要側面図である。
【図２】本発明を適用したスクータ型自動二輪車の概要上面図である。
【図３】シートキャッチを装着するステー構造の側面図および正面図である。
【図４】本発明を適用したシートキャッチの概要正面図である。
【図５】傾斜センサの一部断面側面図および一部断面正面図である。
【図６】本発明を適用した傾斜センサの取付け構造の概要正面図である。
【符号の説明】
【００２４】
１…自動二輪車、４…車体フレーム、４ａ…連結部材、５…燃料タンク、９…シート、９ａ…フック、１１…収納ボックス、２２…傾斜センサ、３０…パイプ部材、３５…ステー構造、５０…シートキャッチ、５１ａ…傾斜センサ取付けアーム、５２…第１カム、５４…第２カム
【図１】
2006231953.tif 000003
【図２】
2006231953.tif 000004
【図３】
2006231953.tif 000005
【図４】
2006231953.tif 000006
【図５】
2006231953.tif 000007
【図６】
2006231953.tif 000008